(57)【要約】      （修正有）【課題】識別媒体にチップを内蔵せずとも識別及び音声発生が可能であり、製品の軽便化と適応性の向上が実現される導電パターン読取装置、方法及び当該装置を用いたインタラクティブプラットフォームを提供する。【解決手段】媒体４００上にコードに対応した導電パターン４０１が印刷され、導電パターン４０１は前記コードに応じて異なる導電センシング領域４０２に分割されている。導電パターン読取装置は導電センシングブロック３０１を備えたセンシング基板３００及びセンシングチップ１００を有し、センシング基板３００が媒体４００上の導電パターン４０１に接触又は接近することで、導電センシング領域４０１に対応する導電センシングブロック３０１の静電容量値が変化する。センシングチップ１００が導電センシングブロック３０１の静電容量値を感知及び検出することで、導電パターン４０１に対応するコードを取得する。【選択図】図１
2017097824.tif 000002
【特許請求の範囲】
【請求項１】
導電パターン読取装置であって、センシング基板と、コードに対応する導電パターンが印刷された媒体を含み、前記媒体が１又は１以上の導電センシング領域に分割され、前記導電パターンが、対応する導電センシング領域内に印刷され、前記センシング基板が、前記導電センシング領域に対応する１又は１以上の導電センシングブロックを含み、
前記導電パターン読取装置は、更に、前記１又は１以上の導電センシングブロックのそれぞれの静電容量値を感知及び検出するセンシングチップを含み、前記センシングチップとセンシング基板上の各導電センシングブロックが互いに接続される導電パターン読取装置。
【請求項２】
前記センシング基板上に共通センシングブロックが設けられ、前記媒体上に、前記共通センシングブロックに対応する共通センシング領域が設けられ、前記導電パターンが共通センシング領域と導電センシング領域に連続して印刷される請求項１記載の導電パターン読取装置。
【請求項３】
前記媒体及び媒体上の導電パターンは、単一の独立した部分、或いは、２又は２以上の部分の組み合わせから構成される請求項１又は２記載の導電パターン読取装置。
【請求項４】
前記２又は２以上の部分のそれぞれの部分導電パターンに独立したコードが１つずつ対応付けられ、部分同士を組み合わせた後の導電パターンに他の独立したコードが対応付けられる請求項３記載の導電パターン読取装置。
【請求項５】
前記媒体は、カード、シール、玩具又は日用品であり、前記媒体上の導電パターンは、カーボンペースト、銀ペーストの導電印刷、ホットスタンプ又はコールドフォイルである請求項１記載の導電パターン読取装置。
【請求項６】
前記導電センシング領域、導電センシングブロックは、矩形、円形、環状又はハート型である請求項１記載の導電パターン読取装置。
【請求項７】
前記共通センシングブロック、共通センシング領域は、矩形、円形、環状又はハート型である請求項２記載の導電パターン読取装置。
【請求項８】
請求項１〜７のいずれか１項記載の導電パターン読取装置に基づく導電パターン読取方法であって、前記媒体上の各導電パターン別に異なるコードが対応付けられ、前記センシング基板のセンシングチップが、各導電センシングブロックの静電容量値を感知及び検出し、前記センシング基板が、導電パターンが印刷された媒体に接触又は接近すると、導電パターンが印刷された導電センシング領域に対応する導電センシングブロックの静電容量値が変化し、センシングチップが、各導電センシングブロックの静電容量値を感知することで、導電パターンに対応するコードに換算して、媒体上の導電パターンを読み取る方法。
【請求項９】
請求項１〜７のいずれか１項記載の導電パターン読取装置を用いたインタラクティブプラットフォームであって、インタラクティブプラットフォームの担持体と、導電パターンが印刷された前記媒体を含み、前記インタラクティブプラットフォームの担持体が、センシングチップ、音声発生装置及び前記センシング基板を含み、前記音声発生装置、センシングチップ及びセンシング基板が順に接続されており、前記センシングチップが、センシング基板を介して媒体上の対応する導電パターンを感知して対応するコードに変換し、音声発生装置が、対応するコードに応じてスピーカーを駆動し、対応する音声を発生させるインタラクティブプラットフォーム。
【請求項１０】
前記インタラクティブプラットフォームの担持体は、書籍、玩具、生活用品又は包装箱である請求項９記載のインタラクティブプラットフォーム。
【発明の詳細な説明】
【技術分野】
【０００１】
本発明は音声発生電子製品に関し、特に、導電パターン読取装置、方法及び当該装置を用いたインタラクティブプラットフォームに関する。
【背景技術】
【０００２】
電子音声発生読み物は、児童の視覚、聴覚、動作の成長に有益な知力読み物である。児童は、様々なカードやシールを配置したり触ったりすることで、それらに対応する音声や音楽を取得できる。これによれば、読み物としての面白みやインタラクティブ性が高まり、陰鬱とした学習方式が払拭されるため、児童は楽しみながら学ぶことができる。当該技術製品は構造が簡単で使用しやすいほか、感動的な音楽や魅力的な内容によって良好な行動習慣を養えるため、児童への使用に特に適している。
【０００３】
現在、市場のニーズに応えるべく、大小様々な電子音声発生書籍が販売されている。これら製品で用いられる技術要求や機能はその他の製品に勝るとも劣らないが、一方で、当該技術製品は高コストでもある。
【０００４】
市販の電子音声発生書籍には、一般的にリジッド性のプリント基板や電線、金属弾性片（いわゆるメタルドーム）といった従来型の電子部品が用いられているため、操作上は金属弾性片の導通性や安定した弾性回復から、導通性に優れ、手触りの良いスイッチ作用を提供可能である。しかし、金属弾性片を押下するには一定の力が必要とされ、幼児にはやや難度が高い。また、金属弾性片の底に配置されるリジッド性のプリント基板は分厚く硬いとの特性から、取り付け空間が大きく制限されてしまう。
【０００５】
また、現在ではパズルにより音声を発生させる電子書籍もある。これは、パズルカードに内蔵された音声又はエンコードチップを用いるもので、パズルカードを電子書籍の対応する凹陥位置に配置すると、導電接触子がパズルカード内の音声又はエンコードチップのデータを読み取ることで、対応する音声が発せられる。また、前記導電接触子をＲＦＩＤ識別に変更して識別するようにしてもよい。しかし、上述した技術方案ではあまりにコストが嵩む。更に重要な点として、パズルカードはチップを内蔵せねばならないため、内蔵チップの破損を避けるべく十分な厚みを持つことが求められる。結果、自ずと生産コストが高騰するほか、薄いカードやシールへの適用が不可能となり、適用性や軽便性の点で十分でない。
【発明の概要】
【発明が解決しようとする課題】
【０００６】
上記の課題を解決するために、本発明は、識別媒体にチップを内蔵せずとも識別及び音声発生が可能であり、製品の軽便化と適用性の向上が実現される導電パターン読取装置、方法及び当該装置を用いたインタラクティブプラットフォームを提供することを目的とする。
【課題を解決するための手段】
【０００７】
本発明が上記の課題を解決するために用いた技術方案は、導電パターン読取装置であって、センシング基板と、コードに対応する導電パターンが印刷された媒体を含み、前記媒体が１又は１以上の導電センシング領域に分割され、前記導電パターンが、対応する導電センシング領域内に印刷され、前記センシング基板が、前記導電センシング領域に対応する１又は１以上の導電センシングブロックを含み、前記導電パターン読取装置が、更に、前記各導電センシングブロックの静電容量値を感知及び検出するセンシングチップを含み、前記センシングチップとセンシング基板上の各導電センシングブロックが互いに接続される。
【０００８】
更に、前記センシング基板上に共通センシングブロックが設けられ、前記媒体上に、前記共通センシングブロックに対応する共通センシング領域が設けられ、前記導電パターンが共通センシング領域と導電センシング領域に連続して印刷される。
【０００９】
更に、前記媒体及び媒体上の導電パターンは、単一の独立した部分、或いは、２又は２以上の部分の組み合わせから構成される。
【００１０】
更に、前記各部分上の部分導電パターンに独立したコードが１つずつ対応付けられ、部分同士を組み合わせた後の導電パターンに他の独立したコードが対応付けられる。
【００１１】
更に、前記導電センシングブロックと導電センシング領域の形状、寸法は同じであっても異なっていてもよいが、位置は対応している。
【００１２】
更に、前記共通センシングブロックと共通センシング領域の形状、寸法は同じであっても異なっていてもよいが、位置は対応している。
【００１３】
更に、前記媒体は、カード、シール、フィルム、書籍、パズル、積み木、マグネット、紙製品又は非紙製品等とされるが、これらに限らない。また、前記媒体上の導電パターンは、カーボンペースト、銀ペーストの導電印刷、ホットスタンプ或いはコールドフォイルとされるが、これらに限らない。
【００１４】
更に、前記センシング基板は、従来型の回路基板又はプリント電子基板とし、前記センシング基板の材質は、ファイバーボード、ＰＥＴ、紙、複合紙又は任意の非金属類とすればよいが、これらに限らない。
【００１５】
更に、前記導電センシング領域、導電センシングブロックは、矩形、円形、環状、ハート型又は任意の規則的又は不規則な形状である。
【００１６】
更に、前記共通センシングブロック、共通センシング領域は、矩形、円形、環状、ハート型又は任意の規則的又は不規則な形状である。
【００１７】
前記導電パターン読取装置に基づく導電パターン読み取り方法において、前記媒体上の各導電パターン別に異なるコードが対応付けられ、センシングチップが、各導電センシングブロックの静電容量値を感知及び検出し、前記センシング基板が、導電パターンが印刷された媒体に接触又は接近すると、導電パターンが印刷された導電センシング領域に対応する導電センシングブロックの静電容量値が変化し、センシングチップが、各導電センシングブロックの静電容量値を感知することで、導電パターンに対応するコードに換算して、媒体上の導電パターンを読み取る。
【００１８】
前記導電パターン読取装置を用いたインタラクティブプラットフォームであって、インタラクティブプラットフォームの担持体と、導電パターンが印刷された前記媒体を含み、前記インタラクティブプラットフォームの担持体が、センシングチップ、音声発生装置及び前記センシング基板を含み、前記音声発生装置、センシングチップ及びセンシング基板が順に接続されており、前記センシングチップが、センシング基板を介して媒体上の対応する導電パターンを感知して対応するコードに変換し、音声発生装置が、対応するコードに応じてスピーカーを駆動し、対応する音声を発生させる。
【００１９】
更に、前記インタラクティブプラットフォームの担持体は、書籍、玩具、生活用品、包装箱又は任意の形式の装置であるが、これらに限らない。
【発明の効果】
【００２０】
本発明は、以下のような有益な効果を有する。即ち、本発明で用いられる導電パターン読取装置とその読み取り方法によれば、前記センシングチップは、各導電センシングブロックの静電容量値を感知及び検出することで、媒体上の各導電パターンに対応付けられたコードを識別し、媒体上の導電パターンの読み取りを実現する。前記媒体は、チップ及び／又はコイルを内蔵する必要がなく、導電パターンを印刷するだけでよいため、媒体の生産コストを効果的に削減可能となる。更に重要な点として、前記媒体には、例えば薄いカード、シール、フィルム等の紙製品又は非紙製品といった柔軟或いは極めて薄い材質を選択すればよい（但し、これらに限らない）ため、製品の重量が効果的に軽量化され、製品の軽便性及び多様化が促進される。そのほか、導電パターンを識別する方式を採用しているため、センシング基板と媒体を軽く接触又は接近させるだけで識別が完了する。よって、児童による使用の利便性が大幅に高まるほか、取り付け空間も効果的に縮減される。
【００２１】
本発明で用いられる導電パターン読取装置を用いたインタラクティブプラットフォームによれば、前記センシングチップが、各導電センシングブロックの静電容量値を感知及び検出することで、媒体上の各導電パターンに対応付けられたコードを識別して、媒体上の導電パターンの読み取りを実現するとともに、前記音声発生装置が、対応するコードに応じてスピーカーを駆動し、対応する音声を発生させる。本発明によれば、媒体上に導電パターンを印刷することで、媒体内にチップ及び／又はコイルを設ける必要がなくなるため、媒体の生産コストを効果的に削減可能となる。更に重要な点として、簡単なシール又はカードを使って操作し、設計に応じてタッチ或いは配置するだけで、これに応じた内容の音声又は音楽を取得可能である。且つ、当該技術製品は多機能で内容が充実しており、更には前記シール又はカードを異なる場所に配置可能なため、臨機応変な使用が可能となる。本発明は音声チップに限らず、他のチップを用いることで、ランプ、画像、映像又は動作等の別の出力も可能となる。
【００２２】
以下に、図面と実施例を組み合わせて本発明につき更に説明する。
【図面の簡単な説明】
【００２３】
【図１】図１は、本発明の導電パターン読取装置としてのインタラクティブプラットフォームの構造分解図である。
【図２】図２は、本発明におけるセンシング基板の導電センシングブロックと、媒体上の異なる導電パターンとの対応関係を示す図である。
【図３】図３は、本発明におけるセンシング基板の導電センシングブロックと、媒体上の導電パターンの対応関係を示す図である。
【図４】図４は、本発明におけるセンシング基板の第２実施例の構造を示す図である。
【図５】図５は、本発明における媒体導電パターンの第２実施例の構造を示す図である。
【図６】図６は、本発明のインタラクティブプラットフォームを書籍に適用した場合の構造を示す図である。
【図７】図７は、本発明の係合槽とカード媒体の構造関係を示す図である。
【図８】図８は、本発明のカードの表裏構造を示す図である。
【図９】図９は、本発明のインタラクティブプラットフォームを玩具に適用した構造を示す図である。
【図１０】図１０は、本発明における媒体導電パターンのその他の形状である。
【図１１】図１１は、本発明における媒体導電パターンのその他の形状である。
【図１２】図１２は、本発明における媒体導電パターンのその他の形状である。
【図１３】図１３は、本発明における媒体導電パターンのその他の形状である。
【図１４】図１４は、本発明の第３実施例の組み合わせを示す図である。
【図１５】図１５は、本発明の第４実施例の組み合わせを示す図である。
【図１６】図１６は、本発明の第５実施例の組み合わせを示す図である。
【図１７】図１７は、本発明の第６実施例の組み合わせを示す図である。
【図１８】図１８は、本発明の回路原理のブロック図である。
【発明を実施するための形態】
【００２４】
図１〜図１８を参照して、本発明の導電パターン読取装置は、センシングチップ１００、センシング基板３００及び導電パターン４０１が印刷された媒体４００を含む。媒体４００には様々な導電パターン４０１を印刷可能であり、前記媒体４００上の各導電パターン４０１別に、異なるコードが１つずつ対応付けられている。なお、前記コードの数は無限に拡充可能である。前記媒体４００としては、例えば薄いカード、シール、フィルム等の紙製品又は非紙製品のような極めて薄い又は柔軟な材質を用いればよいが、これらに限らない。図２、図３を参照して、前記媒体４００は、１又は１以上の導電センシング領域４０２に分割されている。前記導電パターン４０１は、各々のコードに応じて異なる導電センシング領域４０２に印刷されることで、異なる導電パターン４０１を形成する。
【００２５】
前記センシング基板３００は、従来型の回路基板又はプリント電子基板とする。前記センシング基板３００の材質としては、ファイバーボード、ＰＥＴ、紙、複合紙又は任意の非金属類が可能であるが、これらに限らない。
【００２６】
図１、図３を参照して、前記センシング基板３００は、前記導電センシング領域４０２に対応する１又は１以上の導電センシングブロック３０１を含む。前記センシングチップ１００は各導電センシングブロック３０１に接続される。前記センシングチップ１００は、各導電センシングブロック３０１におけるセンシングブロックの静電容量値を感知する。
【００２７】
前記センシング基板３００と媒体４００上の導電パターン４０１が接触又は接近すると、導電パターン４０１が印刷された導電センシング領域４０２が、対応する導電センシングブロック３０１の静電容量値を変化させる。前記センシングチップ１００は、各導電センシングブロック３０１の静電容量値を感知及び検出することで、媒体４００上の導電パターン４０１を識別し、検出した静電容量値に基づいて導電パターン４０１に対応するコードを取得する。
【００２８】
検出精度を更に高めるために、前記センシング基板３００には共通センシングブロック３０２が設けられており、前記媒体４００には前記共通センシングブロック３０２に対応する共通センシング領域４０３が設けられている。また、前記導電パターン４０１は、共通センシング領域４０３と導電センシング領域４０２に連続して印刷される。共通センシング領域４０３と共通センシングブロック３０２を設けることで、本発明の検出精度が効果的に高められる。
【００２９】
具体的に、前記導電センシングブロック３０１と導電センシング領域４０２の形状、寸法が同じとされ、共通センシングブロック３０２と共通センシング領域４０３の形状、寸法が同じとされる。本発明の導電センシング領域４０２と導電センシングブロック３０１のパターンとしては、図２、図３に示すような矩形が可能である。また、前記媒体４００とセンシング基板３００は長方形とされる。前記共通センシング領域４０３と共通センシングブロック３０２は長尺状であり、それぞれ媒体４００とセンシング基板３００の中央部に設けられる。前記導電センシング領域４０２、導電センシングブロック３０１は、共通センシング領域４０３と共通センシングブロック３０２の両側に分布するよう設けられる。なお、いうまでもなく、前記共通センシング領域４０３と共通センシングブロック３０２は中央部に限らず、必要に応じて異なる位置に設けてもよい。また、前記導電センシング領域４０２、導電センシングブロック３０１は両側に限らず、必要に応じて異なる位置に設けてもよい。本実施例では、共通センシング領域４０３の両側に導電センシング領域４０２が４つずつ設けられているが、いうまでもなく、実際には必要に応じて導電センシング領域４０２の数を任意に設定すればよい。前記媒体４００には、導電センシング領域４０２と共通センシング領域４０３に沿って導電パターン４０１が印刷される。各導電センシング領域４０２に印刷された導電パターン４０１は、共通センシング領域４０３に印刷された導電パターン４０１にそれぞれ接続され、一体的に連続した導電パターン４０１を形成する。この設計によれば、導電パターン４０１がより便利となり、導電パターン４０１の印刷難度が低下するとともに、導電パターン４０１の印刷精度が向上する。更には、導電センシング領域４０２上の導電パターン４０１と共通センシング領域４０３上の導電パターン４０１が互いに接続されるため、導電センシングブロック３０１の静電容量値に対するセンシングチップ１００の識別精度を効果的に向上させられる。
【００３０】
また、前記導電センシング領域４０２、導電センシングブロック３０１は別の形状に設計されてもよい。例えば、図４、図５に示すように、前記媒体４００とセンシング基板３００の双方を円形とし、前記導電センシング領域４０２と導電センシングブロック３０１を円環型とする。また、前記媒体４００には、前記各導電センシング領域４０２を接続する共通センシング領域４０３を設ける。本実施例では、導電センシング領域４０２に様々な導電パターン４０１を印刷することで、前記センシングチップ１００が環状の各導電センシングブロック３０１の静電容量値を感知及び検出し、各導電パターン４０１に対応するコードを取得する。
【００３１】
また、本発明の導電センシング領域４０２と導電センシングブロック３０１は別の形状、例えば、図１０〜図１３に示すハート型や、規則的又は不規則な任意の形状に設計してもよく、上記の実施例に限定されない。
【００３２】
本発明における前記媒体４００としては、カード、シール、フィルム、書籍、パズル、積み木、マグネット、紙製品又は非紙製品等が可能であるが、これらに限らない。前記媒体４００上の導電パターン４０１としては、カーボンペースト、銀ペーストの導電印刷、ホットスタンプ或いはコールドフォイルが可能であるが、これらに限らない。本発明において、導電パターン４０１は媒体４００上に印刷される。前記印刷には、例えば塗布、転写、スクリーン印刷といった異なる印刷方式や、ホットスタンプ、コールドフォイル等の技術を用いればよいが、これらに限らない。
【００３３】
更に、前記媒体４００及び媒体４００上の導電パターン４０１は、単一の独立した部分から構成してもよいし、２又は２以上の部分を組み合わせて構成してもよい。図１４を参照して、前記媒体４００はカード又はシールとする。前記媒体４００は、第１部分４００ａと第２部分４００ｂを含み、前記第１部分４００ａと第２部分４００ｂには、部分導電パターン４０１ａがそれぞれ印刷される。そして、第１部分４００ａと第２部分４００ｂを組み合わせることで、完全な導電パターン４０１が形成される。組み合わせにより具体的な導電パターンが形成されて漸く、導電パターンを識別可能となる。なお、いうまでもなく、上述のように組み合わされる部分は２つに限らず複数を用いてもよく、同様の原理を用いるものであれば、本発明の保護の範囲とみなされる。また、インタラクティブプラットフォームへ適用すれば、製品のインタラクティブ性が更に高まり、児童の動作や頭脳の訓練にもなる。
【００３４】
更に、前記媒体４００はカード又はシールとしてだけでなく、玩具や日用品として組み合わせることも可能である。例えば、図１５を参照して、前記媒体４００を、第１部分４００ａ、第２部分４００ｂ及び第３部分４００ｃを含む積み木とする。第１部分４００ａ、第２部分４００ｂ及び第３部分４００ｃには、部分導電パターン４０１ａがそれぞれ印刷されており、第１部分４００ａ、第２部分４００ｂ及び第３部分４００ｃが互いに組み合わされる（本実施例では嵌設組み合わせ方式という）。各部分上の部分導電パターン４０１ａは、コードに対応する導電パターン４０１として組み合わされる。なお、組み合わせ方式は必要に応じて選択すればよく、例えば、並列配置や積み重ね方式等がある。また、積み木だけでなく、その他の玩具や生活用品として組み合わせることでコードに対応する導電パターンを形成してもよいが、ここで１つ１つ列挙することはしない。同様の原理を適用したものであれば、本発明の保護範囲に属するものとみなされる。
【００３５】
更に、前記媒体４００は、互いに組み合わせることでコードに対応する導電パターンを形成可能なだけでなく、媒体４００を構成する各部分上の部分導電パターンに、独立したコードが１つずつ対応付けられてもよい。例えば、図１６に示すように、第１部分４００ａと第２部分４００ｂを含むものとし、前記第１部分４００ａと第２部分４００ｂ上の部分導電パターン４０１ａにそれぞれコードＩＤ１とＩＤ２が対応付けられるものとする。そして、前記第１部分４００ａと第２部分４００ｂを組み合わせて構成される導電パターン４０１のコードがＩＤ３に対応付けられる。部分同士の組み合わせ数に制限はなく、例えば図１７に示すように、コードＩＤ４，ＩＤ５，ＩＤ６，ＩＤ７を各々有する４つの部分４００ａ，４００ｂ，４００ｃ，４００ｄを用いて、コードＩＤ８の媒体４００を構成してもよい。これにより、製品のプレアビリティと組み合わせ可能性が提供されるため、インタラクティブプラットフォームに適用した場合、製品の広がりと応用性が供されることになる。
【００３６】
前記導電パターン読取装置に基づく導電パターン４０１の読み取り方法において、前記媒体４００上の各導電パターン４０１別に異なるコードが対応付けられており、センシングチップ１００が各導電センシングブロック３０１の静電容量値を感知及び検出する。前記センシング基板３００が、導電パターン４０１が印刷された媒体４００に接触又は接近すると、導電パターン４０１が印刷された導電センシング領域４０２に対応する導電センシングブロック３０１の静電容量値が変化する。センシングチップ１００は、各導電センシングブロック３０１の静電容量値を感知することで、導電パターン４０１に対応するコードに換算して、媒体４００上の導電パターン４０１を読み取る。
【００３７】
本発明で用いられる導電パターン読取装置とその読み取り方法によれば、前記センシングチップ１００は、各導電センシングブロック３０１の静電容量値を感知及び検出することで、媒体４００上の各導電パターン４０１に対応付けられたコードを識別し、媒体４００上の導電パターン４０１の読み取りを実現する。前記媒体４００は、チップ及び／又はコイルを内蔵する必要がなく、導電パターン４０１を印刷するだけでよいため、媒体４００の生産コストを効果的に削減可能となる。更に重要な点として、前記媒体４００には、例えば薄いカード、シールといった柔軟或いは極めて薄い材質を選択すればよいため、製品重量が効果的に軽量化され、製品の軽便性及び多様化が促進される。そのほか、導電パターン４０１を識別する方式を採用していることから、センシング基板３００と媒体４００を軽く接触又は接近させるだけで識別が完了する。よって、児童による使用の利便性が大いに高まるほか、取り付け空間も効果的に縮減される。
【００３８】
前記導電パターン読取装置とその読み取り方法は、各種インタラクティブプラットフォームに適用可能である。図１、図６を参照して、当該インタラクティブプラットフォームは、インタラクティブプラットフォームの担持体と、導電パターン４０１が印刷された前記媒体４００を含む。前記インタラクティブプラットフォームの担持体は、センシングチップ１００、音声発生装置２００及び前記センシング基板３００を含むとともに、これらのデバイスに電力を供給するための電池を更に含む。前記音声発生装置２００、センシングチップ１００及びセンシング基板３００は順に接続されている。前記音声発生装置２００内の音声チップ２０１には、各導電パターン４０１のコードに対応する音声情報が保存されている。前記センシングチップ１００は、センシング基板３００を介して媒体４００上の対応する導電パターン４０１を感知し、対応するコードに変換する。音声発生装置２００は、対応するコードに応じてスピーカー２０２を駆動し、対応する音声を発生させる。本発明は音声チップに限らず、他のチップを用いることで、ランプ、画像、映像又は動作等の別の出力も可能となる。
【００３９】
前記音声発生装置２００は、音声チップ２０１とスピーカー２０２を含む。前記音声チップ２０１には、コード及び前記コードに対応する音声信号が記憶されている。前記センシングチップ１００は音声チップ２０１に内蔵されてもよいし、図１に示すように、音声チップ２０１と共に回路基板に設けられてもよい。
【００４０】
本発明のインタラクティブプラットフォームの担持体としては、例えば、書籍、玩具、生活用品、包装箱又は任意の形式の装置といった様々な形態が可能であるが、これらに限らない。また、前記媒体４００としては、カード、シール、フィルム、書籍、パズル、積み木、マグネット、紙製品又は非紙製品等が可能であるが、これらに限らない。前記インタラクティブプラットフォームの担持体が書籍の場合、図６を参照して、書籍の表面、底及び複数の頁が含まれる。前記音声発生装置２００は、書籍の底内部又は書籍側の内部に取り付けられ、固定される。前記センシング基板３００は書籍の表面、底又は頁に設けられ、カードとセンシング基板３００の位置を対応させるだけで、当該チップのコードが確認されて、スピーカー２０２から正しい音声が発生するよう制御される。いうまでもなく、図７に示すように、書籍の表面、底又は頁にカードと対応する係合槽５００を設け、前記カードを係合槽５００に配置することで、当該カードの導電パターン４０１に対応するコードを識別し、当該コードに対応する音声を発生するようにしてもよい。例えば図８に示すように、当該カードの表面がリンゴのパターン、裏面が当該リンゴのパターンに対応する導電パターン４０１であるとする。前記カードを係合槽５００内に配置すると、音声発生装置２００はリンゴの英文音声を読み上げることで、教育及びインタラクティブ効果を奏する。
【００４１】
本発明のインタラクティブプラットフォームの回路原理を図１８に示す。
【００４２】
前記インタラクティブプラットフォームの担持体が玩具の場合、前記センシング基板３００は玩具内に固定される。そして、玩具と機能付きカードの位置を対応させれば、識別及び音声発生が可能となる。前記玩具としては様々な形態が可能である。例えば、図１、図９を参照して、前記玩具がおもちゃ印鑑であり、前記センシング基板３００がおもちゃ印鑑の底部に設けられるとする。前記媒体４００としては、カード、シール、フィルム、書籍、パズル、積み木、マグネット、紙製品又は非紙製品等が可能であるが、これらに限らない。前記媒体４００がカードの場合、おもちゃ印鑑をカード上に載置すると、識別及び音声発生が実行される。一方、シールの場合には、ユーザはシールを書籍、机又は壁等の任意の位置に貼り付ける。そして、おもちゃ印鑑でシールを覆うだけで、識別及び音声発生が実行される。同様にして、おもちゃ印鑑を玩具又は生活用品に接触させることで音声を発生させられる。よって、インタラクティブ性に優れ、柔軟性が高く、プレアビリティが一層良好となる。
【００４３】
玩具としては印鑑だけでなく、様々な態様のものを適用可能である。また、前記インタラクティブプラットフォームの担持体も、前記の書籍又は玩具に限らない。
【００４４】
以上は本発明の好ましい実施例にすぎない。本発明は上述の実施形態に限定されず、同様の手段で本発明の技術的効果を達成可能なものであれば、いずれも本発明の保護の範囲とみなされる。
【図１】
2017097824.tif 000003
【図２】
2017097824.tif 000004
【図３】
2017097824.tif 000005
【図４】
2017097824.tif 000006
【図５】
2017097824.tif 000007
【図６】
2017097824.tif 000008
【図７】
2017097824.tif 000009
【図８】
2017097824.tif 000010
【図９】
2017097824.tif 000011
【図１０】
2017097824.tif 000012
【図１１】
2017097824.tif 000013
【図１２】
2017097824.tif 000014
【図１３】
2017097824.tif 000015
【図１４】
2017097824.tif 000016
【図１５】
2017097824.tif 000017
【図１６】
2017097824.tif 000018
【図１７】
2017097824.tif 000019
【図１８】
2017097824.tif 000020
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
導電パターン読取装置であって、センシング基板と、コードに対応する導電パターンが印刷された媒体を含み、前記媒体が１又は１以上の導電センシング領域に分割され、前記導電パターンが、対応する導電センシング領域内に印刷され、前記センシング基板が、前記導電センシング領域に対応する１又は１以上の導電センシングブロックを含み、
前記導電パターン読取装置は、更に、前記１又は１以上の導電センシングブロックのそれぞれの静電容量値を感知及び検出するセンシングチップを含み、前記センシングチップとセンシング基板上の各導電センシングブロックが互いに接続され、
前記媒体及び媒体上の導電パターンは、２又は２以上の部分の組み合わせから構成され、前記２又は２以上の部分のそれぞれの部分導電パターンに独立したコードが１つずつ対応付けられるとともに、部分同士を組み合わせた後の導電パターンに他の独立したコードが対応付けられる導電パターン読取装置。
【請求項２】
前記センシング基板上に共通センシングブロックが設けられ、前記媒体上に、前記共通センシングブロックに対応する共通センシング領域が設けられ、前記導電パターンが共通センシング領域と導電センシング領域に連続して印刷される請求項１記載の導電パターン読取装置。
【請求項３】
前記媒体は、カード、シール、玩具又は日用品であり、前記媒体上の導電パターンは、カーボンペースト、銀ペーストの導電印刷、ホットスタンプ又はコールドフォイルである請求項１記載の導電パターン読取装置。
【請求項４】
前記導電センシング領域、導電センシングブロックは、矩形、円形、環状又はハート型である請求項１記載の導電パターン読取装置。
【請求項５】
前記共通センシングブロック、共通センシング領域は、矩形、円形、環状又はハート型である請求項２記載の導電パターン読取装置。
【請求項６】
請求項１〜５のいずれか１項記載の導電パターン読取装置に基づく導電パターン読取方法であって、前記媒体上の各導電パターン別に異なるコードが対応付けられ、前記センシング基板のセンシングチップが、各導電センシングブロックの静電容量値を感知及び検出し、前記センシング基板が、導電パターンが印刷された媒体に接触又は接近すると、導電パターンが印刷された導電センシング領域に対応する導電センシングブロックの静電容量値が変化し、センシングチップが、各導電センシングブロックの静電容量値を感知することで、導電パターンに対応するコードに換算して、媒体上の導電パターンを読み取る方法。
【請求項７】
請求項１〜５のいずれか１項記載の導電パターン読取装置を用いたインタラクティブプラットフォームであって、インタラクティブプラットフォームの担持体と、導電パターンが印刷された前記媒体を含み、前記インタラクティブプラットフォームの担持体が、センシングチップ、音声発生装置及び前記センシング基板を含み、前記音声発生装置、センシングチップ及びセンシング基板が順に接続されており、前記センシングチップが、センシング基板を介して媒体上の対応する導電パターンを感知して対応するコードに変換し、音声発生装置が、対応するコードに応じてスピーカーを駆動し、対応する音声を発生させるインタラクティブプラットフォーム。
【請求項８】
前記インタラクティブプラットフォームの担持体は、書籍、玩具、生活用品又は包装箱である請求項７記載のインタラクティブプラットフォーム。